(57)【特許請求の範囲】
【請求項１】
前方から視認可能な位置に基台装飾が施された基台と、
前方から視認可能な位置に前記基台装飾と異なる第一装飾が施され、所定の方向に往復移動自在となるように前記基台の前方に配置される第一可動体と、
前方から視認可能な位置に前記基台装飾及び前記第一装飾と異なる第二装飾が施され、前記所定の方向に往復移動自在となるように前記第一可動体の前方に配置される第二可動体と、
を備え、
前記第二可動体が前記第一可動体の第一装飾を前方から隠蔽すると共に、前記第一可動体が前記基台の基台装飾を前方から隠蔽する状態で前記第一可動体及び前記第二可動体を前記基台の前方に位置させ、前記第二可動体の第二装飾を前方から視認可能とする第一状態と、
前記第一状態から前記第一可動体及び前記第二可動体を一体的に前記基台装飾を前方に露出させる第一方向に移動させ、当該基台装飾を前方から視認可能とする第二状態と、
前記第二状態から前記第一可動体を前記第一方向と反対の第二方向に移動させることで、前記第二可動体の背後から当該第一可動体を出現させて前記基台の前方に位置させ、当該第一可動体によって前記基台装飾を前方から隠蔽しつつ当該第一可動体の第一装飾を前方から視認可能とする第三状態と、
の間で状態遷移させる遊技機の可動演出装置。
【請求項２】
前記第二状態から前記第三状態に状態遷移する際の前記第一可動体の前記第二方向への移動速度が、
前記第一状態から前記第二状態に状態遷移する際の前記第一可動体及び前記第二可動体の前記第一方向への移動速度よりも速くなるように構成される、
請求項１に記載の遊技機の可動演出装置。
【請求項３】
前記第二可動体を前記第一方向又は前記第二方向に往復移動させる駆動機構と、
前記第一可動体を前記第二可動体に係合させる係合状態と当該係合を解除する係合解除状態とを切り替え可能な係合機構と、
前記第一可動体が前記基台装飾を前方から隠蔽する位置に復帰するように当該第一可動体を前記第二方向に付勢する付勢部材と、
を具備する請求項１又は請求項２に記載の遊技機の可動演出装置。
【請求項４】
前記第一状態においては、前記第二可動体の第二装飾を発光させ、
前記第二状態においては、前記基台の基台装飾を発光させ、
前記第三状態においては、前記第一可動体の第一装飾を発光させる、
請求項１から請求項３までのいずれか一項に記載の遊技機の可動演出装置。
【発明の詳細な説明】
【技術分野】
【０００１】
本発明は、装飾が施された可動体を移動させて演出を行う遊技機の可動演出装置の技術に関する。
【背景技術】
【０００２】
従来、装飾が施された可動体を移動させて演出を行う遊技機の可動演出装置の技術は公知となっている。例えば、特許文献１又は特許文献２に記載の如くである。
【０００３】
特許文献１又は特許文献２に記載の技術では、基台（表示台枠）の上部及び可動体の表面に装飾を施すとともに、基台の上部前方に可動体を昇降自在に配置している。この技術では、可動体が上昇した状態を初期状態として、当該初期状態においては、基台の装飾を可動体で隠蔽して、当該可動体の装飾のみを遊技者に視認可能としている。そして、可動体を下降させて基台の装飾を出現させ、遊技者に視認可能とすることで、遊技者に印象を与えることができる。
【先行技術文献】
【特許文献】
【０００４】
【特許文献１】特開２００９−２０７５３９号公報
【特許文献２】特開２０１１−０３０８４５号公報
【発明の概要】
【発明が解決しようとする課題】
【０００５】
本発明が解決しようとする課題は、従来の可動演出装置では実現し得なかった演出を行うことによって、遊技者に新鮮な印象を与えることができる遊技機の可動演出装置を提供するものである。
【課題を解決するための手段】
【０００６】
本発明の解決しようとする課題は以上の如くであり、次にこの課題を解決するための手段を説明する。
【０００７】
即ち、請求項１においては、前方から視認可能な位置に基台装飾が施された基台と、前方から視認可能な位置に前記基台装飾と異なる第一装飾が施され、所定の方向に往復移動自在となるように前記基台の前方に配置される第一可動体と、前方から視認可能な位置に前記基台装飾及び前記第一装飾と異なる第二装飾が施され、前記所定の方向に往復移動自在となるように前記第一可動体の前方に配置される第二可動体と、を備え、前記第二可動体が前記第一可動体の第一装飾を前方から隠蔽すると共に、前記第一可動体が前記基台の基台装飾を前方から隠蔽する状態で前記第一可動体及び前記第二可動体を前記基台の前方に位置させ、前記第二可動体の第二装飾を前方から視認可能とする第一状態と、前記第一状態から前記第一可動体及び前記第二可動体を一体的に前記基台装飾を前方に露出させる第一方向に移動させ、当該基台装飾を前方から視認可能とする第二状態と、前記第二状態から前記第一可動体を前記第一方向と反対の第二方向に移動させることで、前記第二可動体の背後から当該第一可動体を出現させて前記基台の前方に位置させ、当該第一可動体によって前記基台装飾を前方から隠蔽しつつ当該第一可動体の第一装飾を前方から視認可能とする第三状態と、の間で状態遷移させるものである。
【０００８】
請求項２においては、前記第二状態から前記第三状態に状態遷移する際の前記第一可動体の前記第二方向への移動速度が、前記第一状態から前記第二状態に状態遷移する際の前記第一可動体及び前記第二可動体の前記第一方向への移動速度よりも速くなるように構成されるものである。
【０００９】
請求項３においては、前記第二可動体を前記第一方向又は前記第二方向に往復移動させる駆動機構と、前記第一可動体を前記第二可動体に係合させる係合状態と当該係合を解除する係合解除状態とを切り替え可能な係合機構と、前記第一可動体が前記基台装飾を前方から隠蔽する位置に復帰するように当該第一可動体を前記第二方向に付勢する付勢部材と、を具備するものである。
【００１０】
請求項４においては、前記第一状態においては、前記第二可動体の第二装飾を発光させ、前記第二状態においては、前記基台の基台装飾を発光させ、前記第三状態においては、前記第一可動体の第一装飾を発光させるものである。
【発明の効果】
【００１１】
本発明の効果として、以下に示すような効果を奏する。
【００１２】
請求項１においては、遊技者に新鮮な印象を与えることができる。
【００１３】
請求項２においては、第一可動体が出現する際、及び視認可能な装飾が基台装飾から第一装飾にすり替わる際の印象を高めることができる。
【００１４】
請求項３においては、遊技者に新鮮な印象を与えることができる可動演出装置を構成することができる。
【００１５】
請求項４においては、遊技者に視認させたい装飾を発光させて注意をひくことができ、遊技者により強い印象を与えることができる。
【図面の簡単な説明】
【００１６】
【図１】本発明の一実施形態に係るセンター役物を備える遊技機の全体的な構成を示した正面図。
【図２】同じく、遊技機の窓枠が開放された状態を示した前方斜視図。
【図３】同じく、遊技盤を示した正面図。
【図４】センター役物を示した前方斜視図。
【図５】同じく、正面図。
【図６】同じく、側面図。
【図７】同じく、前上方斜視図。
【図８】係合機構の周辺部を示した後上方斜視図。
【図９】同じく、前上方斜視図。
【図１０】（ａ）センター役物の第一状態を示した側面模式図。（ｂ）同じく、第一状態から第二状態へと遷移する様子を示した側面模式図。（ｃ）同じく第二状態を示した側面模式図。
【図１１】第二状態におけるセンター役物を示した側面図。
【図１２】同じく、正面図。
【図１３】第三状態におけるセンター役物を示した側面図。
【図１４】同じく、正面図。
【発明を実施するための形態】
【００１７】
まず、本発明に係る遊技機の一実施形態である遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１８】
遊技機１は、図１から図３が示すように、主として、外枠２と、中枠３と、窓枠４と、により構成される枠体に、各種の遊技部品が取り付けられて形成される。
【００１９】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００２０】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００２１】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００２２】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２３】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２４】
次に、遊技盤６の構成について、図３を用いてさらに詳細に説明する。
【００２５】
遊技盤６は、図３に示すように、遊技板１０と、ガイドレール１１と、センター役物１００と、図柄表示装置１３と、可変入賞装置１４と、大入賞装置１５と、アウト口１６等により構成される。
【００２６】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２７】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２８】
センター役物１００は、その外観により遊技板１０を装飾する部材である。センター役物１００は正面視で略環状であって、その中央にセンター開口部２７が前後方向に貫通して形成される。センター役物１００は、遊技板１０を前後方向に貫通するように当該遊技板１０の中央から上部に渡って形成される孔に前方から挿入され、ボルト等によって取り付けられる。
【００２９】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１００のセンター開口部２７の後方に配置される。これによって、前方からセンター開口部２７を介して液晶画面２６に表示される図柄遊技を視認することができる。
【００３０】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の左右中央部であってセンター役物１００の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００３１】
大入賞装置１５は、所定の大当たり抽選により大当たりが選択されると、大入賞口１５ａを開放して遊技球が入球（入賞）可能に構成される装置である。大入賞装置１５は、遊技領域２５の左右中央部であって可変入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００３２】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３３】
次に、センター役物１００の上部の構成について詳細に説明する。
【００３４】
センター役物１００は、本発明に係る可動演出装置の実施の一形態である。センター役物１００は、液晶画面２６に表示される図柄遊技に応じて可動し、遊技者に視覚的な印象（インパクト）を与えることができる。図４から図９までに示すように、センター役物１００の上部は、主として基台１１０と、第一可動体１２０と、第二可動体１３０と、駆動機構１４０と、係合機構１５０・１５０と、トーションバネ１６０・１６０と、により構成される。
【００３５】
なお、センター役物１００の構成は概ね左右対称であるため、以下の説明では左右いずれか一方の説明及び図示を適宜省略する。
【００３６】
図４から図６までに示す基台１１０は、センター役物１００の上部を構成する主たる構造体である。基台１１０は、略直方体状に形成される。基台１１０の前面には、文字や図柄等の基台装飾１１１が施される（図１２等参照）。基台装飾１１１は透過性を有する部材によって構成される。
【００３７】
基台１１０の内部には、ＬＥＤ等の図示せぬ発光手段が設けられる。当該発光手段を点灯させることにより、基台装飾１１１を発光させることができる。
【００３８】
図４から図９までに示す第一可動体１２０は、移動及び発光することにより、遊技者に視覚的な印象（インパクト）を与えるためのものである。第一可動体１２０は、主として第一表示部１２１と、第一支持部１２２・１２２と、突出部１２３・１２３と、第一装飾１２４と、突起１２６・１２６と、により構成される。
【００３９】
図４、図６及び図７に示す第一表示部１２１は、略板状の部材である。第一表示部１２１は、その板面を概ね前後方向に向け、かつ長手方向を左右方向に向けた状態で、基台１１０の前方に配置される。
【００４０】
図４、図５及び図７から図９までに示す第一支持部１２２・１２２は、第一表示部１２１を支持するものである。第一支持部１２２・１２２は、それぞれ第一表示部１２１の左右両端部から概ね後上方に向かって延設される。
なお、本実施形態に係る第一支持部１２２・１２２は、第一表示部１２１と一体的に構成されるものとするが、別部材で構成することも可能である。
【００４１】
図８及び図９に示す突出部１２３・１２３は、第一支持部１２２・１２２の後端から内側に向けてそれぞれ突設される。突出部１２３・１２３の概ね前側には、平面部が形成される。
【００４２】
図４、図５及び図７に示す第一装飾１２４は、文字や図柄等によって構成され、第一表示部１２１の前面に施される。第一装飾１２４としては、基台装飾１１１と異なる装飾が施される。
【００４３】
図７に示す突起１２６・１２６（右側に配置される突起１２６は図示していない）は、略円柱状の部材であり、その長手方向を左右方向に向けた状態で第一支持部１２２・１２２の内側面に固定される。
【００４４】
第一可動体１２０（特に、第一表示部１２１及び第一装飾１２４）は、透過性を有する部材によって構成される。
【００４５】
図４から図９までに示す第二可動体１３０は、移動及び発光することにより、遊技者に視覚的な印象（インパクト）を与えるためのものである。第二可動体１３０は、主として第二表示部１３１と、第二支持部１３２・１３２と、案内孔１３３・１３３と、第二装飾１３４と、シャフト１３５・１３５と、により構成される。
【００４６】
図４から図９までに示す第二表示部１３１は、略板状の部材である。第二表示部１３１は、その板面を概ね前後方向に向け、かつ長手方向を左右方向に向けた状態で、第一表示部１２１の前方に配置される。第二表示部１３１は、透過性を有する部材によって構成される。
【００４７】
図４から図８までに示す第二支持部１３２・１３２は、第二表示部１３１を支持するものである。第二支持部１３２・１３２は、それぞれ第二表示部１３１の左右両端部から概ね後上方に向かって延設される。第二支持部１３２・１３２は、透過性を有する部材によって構成される。
なお、本実施形態に係る第二支持部１３２・１３２は、第二表示部１３１と一体的に構成されるものとするが、別部材で構成することも可能である。
【００４８】
図４及び図６から図８までに示す案内孔１３３・１３３は、第二支持部１３２・１３２を左右方向に貫通する長孔である。案内孔１３３・１３３は、第二支持部１３２・１３２の下部において、当該第二支持部１３２・１３２の長手方向に概ね沿うようにそれぞれ形成される。
【００４９】
図４、図５及び図７に示す第二装飾１３４は、文字や図柄等によって構成され、第二表示部１３１の前面に施される。第二装飾１３４としては、基台装飾１１１及び第一装飾１２４とは異なる装飾が施される。
【００５０】
第二装飾１３４の内部には、ＬＥＤ等の図示せぬ発光手段が設けられる。当該発光手段を点灯させて第二装飾１３４の周囲を発光させることにより、当該第二装飾１３４が発光したような演出を行うことができる。
【００５１】
図４から図９までに示すシャフト１３５・１３５は、第二可動体１３０の回動軸となるものである。シャフト１３５・１３５は、その長手方向を左右方向に向けた状態で、第二支持部１３２・１３２の後端部にそれぞれ挿通される。当該シャフト１３５・１３５と第二支持部１３２・１３２とは、相対回転不能となるように、図示せぬボルト等により連結固定される。シャフト１３５・１３５は、第二支持部１３２・１３２から内側に向かってそれぞれ延設され、当該延設された部分は第一可動体１２０の第一支持部１２２・１２２にそれぞれ挿通される。シャフト１３５・１３５と第一支持部１２２・１２２とは連結固定されることなく、相対回転可能である。
【００５２】
第一可動体１２０及び第二可動体１３０（より詳細には、第一表示部１２１及び第二表示部１３１）は、シャフト１３５・１３５を中心として回転することにより、上下方向に往復移動自在となる。
【００５３】
なお、以下では、第一可動体１２０又は第二可動体１３０が下方に向かって移動すること（図１０の（ａ）から（ｃ）の順に移動すること）を「往動」、第一可動体１２０又は第二可動体１３０が上方に向かって移動すること（図１０の（ｃ）から（ａ）の順に移動すること）を「復動」と、それぞれ定義する。
【００５４】
図４から図８までに示す駆動機構１４０は、第一可動体１２０及び第二可動体１３０を上下方向に往復移動（回動）させるものである。駆動機構１４０は、主としてモータ１４１と、第一駆動ギヤ１４２と、第一従動ギヤ１４３と、伝達軸１４４と、第二駆動ギヤ１４５・１４５と、第二従動ギヤ１４６・１４６と、伝達板１４７・１４７と、駆動突起１４８・１４８と、により構成される。
【００５５】
図６及び図７に示すモータ１４１は、第一可動体１２０及び第二可動体１３０を往復移動させるための駆動源となるものである。モータ１４１は、基台１１０の背後に配置される。モータ１４１の出力軸は、当該モータ１４１から右方に向かって突設される。
【００５６】
第一駆動ギヤ１４２は、モータ１４１の出力軸に固定され、当該出力軸を中心に回転する。
【００５７】
第一従動ギヤ１４３は、第一駆動ギヤ１４２の概ね前方から当該第一駆動ギヤ１４２に噛合される。
【００５８】
図７に示す伝達軸１４４は、長手方向を左右方向に向けて配置される。伝達軸１４４は、第二可動体１３０の左端部近傍から右端部近傍までにわたって配置される。当該伝達軸１４４の左右中途部には、第一従動ギヤ１４３が固定される。
【００５９】
図４から図８までに示す第二駆動ギヤ１４５・１４５は、伝達軸１４４の左右両端にそれぞれ固定される。
【００６０】
第二従動ギヤ１４６・１４６は、第二駆動ギヤ１４５・１４５の概ね前方から当該第二駆動ギヤ１４５・１４５にそれぞれ噛合される。
【００６１】
伝達板１４７・１４７は、略円形板状の部材であり、その板面を左右方向に向けて配置される。当該伝達板１４７・１４７の外周の一部（上部）は概ね上方に突出するように形成される。伝達板１４７・１４７は、第二従動ギヤ１４６・１４６の内側面にそれぞれ固定される。
【００６２】
駆動突起１４８・１４８は、略円柱状の部材であり、伝達板１４７・１４７の突出部から内側に向かって突設され、第二可動体１３０の左右に形成された案内孔１３３・１３３にそれぞれ挿通される（図１０参照）。
【００６３】
図５から図９までに示す係合機構１５０は、第一可動体１２０を第二可動体１３０に係合させる係合状態と、当該係合を解除する係合解除状態と、を切り替えるものである。係合機構１５０・１５０は、主としてソレノイド１５１・１５１と、連結部材１５２・１５２と、戻しバネ１５３・１５３と、により構成される。
【００６４】
ソレノイド１５１・１５１は、基台１１０の左右両端部近傍の後方にそれぞれ配置される。ソレノイド１５１・１５１からは、外側に向けて可動子１５１ａ・１５１ａがそれぞれ突設される。ソレノイド１５１に通電すると、可動子１５１ａを当該ソレノイド１５１に近接する方向に摺動させることができる。
【００６５】
連結部材１５２・１５２は、シャフト１３５・１３５と第一可動体１２０とを連結するものである。
連結部材１５２・１５２は、シャフト１３５・１３５にそれぞれ外嵌される。シャフト１３５・１３５の当該外嵌部分は略長方形断面に形成されるとともに、連結部材１５２・１５２におけるシャフト１３５・１３５の挿通孔も略長方形断面に形成される。このため、当該シャフト１３５・１３５と連結部材１５２・１５２とは相対回転不能、かつ左右方向に相対移動可能（図９の矢印参照）となる。
連結部材１５２・１５２の内側端部は、ソレノイド１５１・１５１の可動子１５１ａ・１５１ａとそれぞれ相対回転可能、かつ左右方向に相対移動不能となるように連結される。
連結部材１５２・１５２の外側端部には、突出部１５２ａ・１５２ａが外側に向けてそれぞれ突設される。突出部１５２ａ・１５２ａの概ね後側には、平面部が形成される。
【００６６】
図５、図８及び図９に示す戻しバネ１５３・１５３は、圧縮コイルバネで構成される。戻しバネ１５３・１５３は、ソレノイド１５１・１５１の可動子１５１ａ・１５１ａに外嵌された状態で、当該可動子１５１ａ・１５１ａを外側に向かって常時付勢する。
【００６７】
図５から図７までに示すトーションバネ１６０・１６０は、本発明に係る付勢部材の実施の一形態であり、第一可動体１２０が上方に向かって回動するように、当該第一可動体１２０を常時付勢するものである。トーションバネ１６０・１６０の一端（前端）は、第一可動体１２０の突起１２６・１２６にそれぞれ連結される。トーションバネ１６０・１６０の他端（後端）は、遊技盤６（遊技板１０等）に適宜固定される。
【００６８】
上述した、基台１１０の内部に配置される発光手段、第二装飾１３４の内部に配置される発光手段、モータ１４１、及びソレノイド１５１・１５１は、それぞれ図示せぬ制御手段に接続され、当該制御手段によってその動作を制御される。基台１１０の内部に配置される発光手段及び第二装飾１３４の内部に配置される発光手段は、前記制御手段によって互いに独立して発光制御することが可能である。
【００６９】
以下では、上述の如く構成されたセンター役物１００の状態遷移の様子について説明する。
【００７０】
まず、上述した図４から図７までに示す状態においては、第一可動体１２０が基台１１０の基台装飾１１１（図１２参照）を前方から隠蔽すると共に、第二可動体１３０が第一可動体１２０の第一装飾１２４を前方から隠蔽する状態で、当該第一可動体１２０及び第二可動体１３０を基台１１０の前方に位置させている。この状態のことを、以下では「第一状態」と記す。
【００７１】
第一状態においては、基台装飾１１１及び第一装飾１２４は隠蔽されているため、前方（遊技者）からは第二可動体１３０の第二装飾１３４のみが視認可能となる。
【００７２】
また、第一状態においては、前記制御装置は、基台１１０の内部に配置される発光手段及び第二装飾１３４の内部に配置される発光手段を点灯させる。第二装飾１３４の内部に配置される発光手段を点灯させることによって、第二装飾１３４を発光させ、遊技者に当該第二装飾１３４による印象を強く与えることができる。
【００７３】
図８及び図９に示すように、第一状態においては、前記制御装置はソレノイド１５１・１５１に通電しない。したがって、ソレノイド１５１・１５１の可動子１５１ａ・１５１ａは、戻しバネ１５３・１５３の付勢力によってそれぞれ外側へと摺動されている。当該可動子１５１ａ・１５１ａとともに連結部材１５２・１５２も外側へと摺動し、当該連結部材１５２・１５２の突出部１５２ａ・１５２ａと、第一可動体１２０の突出部１２３・１２３とが係合した状態（係合状態）となっている。すなわち、連結部材１５２・１５２の突出部１５２ａ・１５２ａの平面部と第一可動体１２０の突出部１２３・１２３の平面部とが対向して当接（係合）することで、当該連結部材１５２・１５２と第一可動体１２０とが相対回転不能となっている。
【００７４】
第一状態から、モータ１４１を一方向に回転駆動させ、第一駆動ギヤ１４２を側面（図６）視反時計回りに回転させると、当該第一駆動ギヤ１４２と噛合した第一従動ギヤ１４３、伝達軸１４４及び第二駆動ギヤ１４５・１４５は側面視時計回りに回転する。第二駆動ギヤ１４５・１４５が側面視時計回りに回転すると、当該第二駆動ギヤ１４５・１４５と噛合した第二従動ギヤ１４６・１４６及び伝達板１４７・１４７は側面視反時計回りに回転する。
【００７５】
伝達板１４７・１４７と共に、当該伝達板１４７・１４７に固定された駆動突起１４８・１４８も側面視反時計回りに回転する（図１０の（ａ）から（ｃ）まで参照）。当該駆動突起１４８・１４８は第二可動体１３０の案内孔１３３・１３３を押しながら回転するため、当該駆動突起１４８・１４８の回転に伴って、第二可動体１３０もシャフト１３５・１３５を中心として側面視反時計回りに回転（往動）する。また、第二可動体１３０、シャフト１３５・１３５及び連結部材１５２・１５２は互いに相対回転不能であるため、第二可動体１３０とともに、シャフト１３５・１３５及び連結部材１５２・１５２も側面視反時計回りに回転する。
【００７６】
この際、連結部材１５２・１５２の突出部１５２ａ・１５２ａと第一可動体１２０の突出部１２３・１２３とは係合しているため、連結部材１５２・１５２とともに第一可動体１２０もシャフト１３５・１３５を中心として側面視反時計回りに回転（往動）する。すなわち、第二可動体１３０とともに、第一可動体１２０も一体的に側面視反時計回りに回転することになり（図１０の（ａ）から（ｃ）まで参照）、正面視においては下方に移動することになる（図１２参照）。このように第一可動体１２０及び第二可動体１３０を一体的に回転させることで、遊技者にあたかも一部材が回転したような印象を与えることができる。
【００７７】
前記制御装置は、第一可動体１２０の第一支持部１２２・１２２及び第二可動体１３０の第二支持部１３２・１３２の長手方向が概ね上下方向を向いたとき（図１０（ｃ）及び図１１参照）に、モータ１４１の駆動を停止させる。
【００７８】
図１２に示すように、この状態においては、基台１１０の基台装飾１１１が露出し、前方（遊技者側）から当該基台装飾１１１が視認可能となる。この状態のことを、以下では「第二状態」と記す。
【００７９】
また、第二状態においては、第一可動体１２０及び第二可動体１３０は、シャフト１３５・１３５を中心に下方に回動しているため、当該第一可動体１２０及び第二可動体１３０は前傾している。このため、遊技者からは第二装飾１３４の内容が識別し難くなるため、遊技者の注意が第二装飾１３４ではなく、基台装飾１１１に行き易くなる。
【００８０】
さらに、第二状態においては、前記制御装置は、第二装飾１３４の内部に配置される発光手段を消灯し、基台１１０の内部に配置される発光手段のみを点灯させる。これによって、基台装飾１１１を発光させ、遊技者に当該基台装飾１１１による印象を強く与えることができる。
【００８１】
第二状態において、前記制御装置がソレノイド１５１・１５１に通電すると、可動子１５１ａ・１５１ａが戻しバネ１５３・１５３の付勢力に抗して当該ソレノイド１５１・１５１に近接する側（内側）に摺動する。当該可動子１５１ａ・１５１ａとともに、連結部材１５２・１５２も内側に向かって摺動するため、当該連結部材１５２・１５２の突出部１５２ａ・１５２ａと第一可動体１２０の突出部１２３・１２３との係合が解除された状態（係合解除状態）となる。
【００８２】
係合解除状態においては、第一可動体１２０は第二可動体１３０とは独立して、シャフト１３５・１３５を中心として回転自在となる。また、第一可動体１２０はトーションバネ１６０・１６０によって上方に向かって回動するように常時付勢されているため、係合解除状態になった瞬間に、当該第一可動体１２０は跳ね上げられて勢い良く上昇（復動）する。この際の第一可動体１２０の移動速度（上昇速度）は、第一状態から第二状態に移動する際の第一可動体１２０及び第二可動体１３０の移動速度（下降速度）よりも速くなるように構成される。
【００８３】
このようにして第二可動体１３０の背後から出現した第一可動体１２０は、図１３及び図１４に示すように、基台１１０の基台装飾１１１を前方から隠蔽する状態で、基台１１０の前方に位置する。この状態のことを、以下では「第三状態」と記す。
【００８４】
第三状態においては、基台装飾１１１は隠蔽されているため、前方（遊技者）からは第一可動体１２０の第一装飾１２４のみが視認可能となる。また、上述の如く、第一可動体１２０を勢い良く上昇させるため、遊技者に、基台装飾１１１が第一装飾１２４に突然すり替わったような印象を与えることができる。
【００８５】
また、第三状態においては、前記制御装置は、第二状態に引き続いて基台１１０の内部に配置される発光手段のみを点灯させる。これによって、基台装飾１１１を発光させ、当該基台装飾１１１からの光によって第一可動体１２０の第一装飾１２４を発光させることができ、遊技者に当該第一装飾１２４による印象を強く与えることができる。
【００８６】
第三状態から第一状態へと状態遷移させる場合、前記制御装置はソレノイド１５１・１５１への通電を終了するとともに、モータ１４１を上記と逆方向に回転駆動させる。
【００８７】
図８及び図９に示すソレノイド１５１・１５１への通電が終了すると、戻しバネ１５３の付勢力によって再び連結部材１５２・１５２が外側へと摺動する。この際、連結部材１５２・１５２の突出部１５２ａ・１５２ａと第一可動体１２０の突出部１２３・１２３との位相がずれているため、当該連結部材１５２・１５２は突出部１５２ａ・１５２ａの外側端面と突出部１２３・１２３の内側端面とが当接する位置まで摺動する。
【００８８】
この状態で、モータ１４１を逆方向に回転駆動させると、上記とは逆に第二可動体１３０は側面（図６）視時計回りに回転する。そして、第二可動体１３０が第一状態と同じ位置まで回転した際に、連結部材１５２・１５２の突出部１５２ａ・１５２ａと第一可動体１２０の突出部１２３・１２３との位相が一致（平面部同士が対向）し、再び連結部材１５２・１５２の突出部１５２ａ・１５２ａと第一可動体１２０の突出部１２３・１２３とが係合する。このようにして、再び第一状態に状態遷移することができる。
【００８９】
また、第一状態に状態遷移すると、前記制御装置は、再び基台１１０の内部に配置される発光手段及び第二装飾１３４の内部に配置される発光手段を点灯させる。
【００９０】
以上の如く、本実施形態に係る遊技機１のセンター役物１００（可動演出装置）は、
前方から視認可能な位置に基台装飾１１１が施された基台１１０と、
前方から視認可能な位置に基台装飾１１１と異なる第一装飾１２４が施され、所定の方向に往復移動自在となるように基台１１０の前方に配置される第一可動体１２０と、
前方から視認可能な位置に基台装飾１１１及び第一装飾１２４と異なる第二装飾１３４が施され、前記所定の方向に往復移動自在となるように第一可動体１２０の前方に配置される第二可動体１３０と、
を備え、
第二可動体１３０が第一可動体１２０の第一装飾１２４を前方から隠蔽すると共に、第一可動体１２０が基台１１０の基台装飾１１１を前方から隠蔽する状態で第一可動体１２０及び第二可動体１３０を基台１１０の前方に位置させ、第二可動体１３０の第二装飾１３４を前方から視認可能とする第一状態と、
前記第一状態から第一可動体１２０及び第二可動体１３０を一体的に基台装飾１１１を前方に露出させる下方向（第一方向）に移動させ、当該基台装飾１１１を前方から視認可能とする第二状態と、
前記第二状態から第一可動体１２０を前記第一方向と反対の上方向（第二方向）に移動させることで、第二可動体１３０の背後から当該第一可動体１２０を出現させて基台１１０の前方に位置させ、当該第一可動体１２０によって基台装飾１１１を前方から隠蔽しつつ当該第一可動体１２０の第一装飾１２４を前方から視認可能とする第三状態と、
の間で状態遷移させるものである。
【００９１】
このように構成することにより、遊技者に新鮮な印象を与えることができる。
すなわち、第一状態から第一可動体１２０及び第二可動体１３０を一体的に下方に移動させることで、あたかも一体物が移動したかのような印象を遊技者に与えながら、基台１１０の基台装飾１１１を出現させることができる。その後、第二可動体１３０の背後から第一可動体１２０を出現させて基台１１０の前方に配置させることで、前記一体物の背後から突然別の装飾（第一装飾１２４）が登場したかのような印象を与えつつ、基台装飾１１１を第一可動体１２０の第一装飾１２４にすり替えるような演出を行うことができ、遊技者に新鮮な印象を与えることができる。
【００９２】
また、センター役物１００は、
前記第二状態から前記第三状態に状態遷移する際の第一可動体１２０の上方向への移動速度が、
前記第一状態から前記第二状態に状態遷移する際の第一可動体１２０及び第二可動体１３０の下方向への移動速度よりも速くなるように構成されるものである。
【００９３】
このように構成することにより、第一可動体１２０が出現する際、及び基台装飾１１１が第一装飾１２４にすり替わる際のインパクトを高めることができる。
【００９４】
また、センター役物１００は、
第二可動体１３０を下方向又は上方向に往復移動させる駆動機構１４０と、
第一可動体１２０を第二可動体１３０に係合させる係合状態と当該係合を解除する係合解除状態とを切り替え可能な係合機構１５０と、
第一可動体１２０が基台装飾１１１を前方から隠蔽する位置に復帰するように当該第一可動体１２０を上方向に付勢するトーションバネ１６０・１６０（付勢部材）と、
を具備するものである。
【００９５】
このように構成することにより、遊技者に新鮮な印象を与えることができる可動演出装置を構成することができる。
【００９６】
また、センター役物１００は、
前記第一状態においては、第二可動体１３０の第二装飾１３４を発光させ、
前記第二状態においては、基台１１０の基台装飾１１１を発光させ、
前記第三状態においては、第一可動体１２０の第一装飾１２４を発光させるものである。
【００９７】
このように構成することにより、遊技者に視認させたい装飾を発光させて注意をひくことができ、遊技者により強い印象を与えることができる。
【００９８】
なお、本発明に係る可動演出装置は、センター役物１００に限らず、その他の役物に適用することができる。
また、第一可動体１２０及び第二可動体１３０の移動方向は上下方向に限るものではなく、左右方向、斜め方向等とすることができる。
また、第一可動体１２０及び第二可動体１３０はシャフト１３５・１３５を中心に回動するものとしたが、これに限らず、例えば遊技盤６に平行な面内で摺動する構成であっても良い。
また、基台装飾１１１は、基台１１０の表面（前面）に施されるものに限らず、前方（遊技者側）から視認可能であれば良い。たとえば、基台１１０の内部に基台装飾１１１を施し、当該基台装飾１１１の前方を開放したり、透明な板で覆ったりする構成であっても良い。第一装飾１２４及び第二装飾１３４についても同様である。
また、基台１１０、第一可動体１２０及び第二可動体１３０の形状等は本実施形態に限るものではなく、第一可動体１２０によって基台装飾１１１を隠蔽することができ、第二可動体１３０によって第一装飾１２４を隠蔽することができるものであれば良い。
また、本発明に係る付勢部材は、トーションバネ１６０・１６０に限るものではなく、第一可動体１２０を常時上方に向かって付勢することができるものであれば良い。
【００９９】
なお、本実施形態には、
所定の方向に往復移動自在に配置され、前方から第一装飾が視認可能な第一可動体と、
前記所定の方向に往復移動自在に前記第一可動体の前方に配置され、前方から前記第一装飾と異なる第二装飾が視認可能な第二可動体と、
前記第二可動体を往復移動させる駆動源と、
前記第一可動体を前記第二可動体に係合させる係合状態と当該係合を解除する係合解除状態とを切り替え可能な係合機構と、
前記第一可動体を復動方向に付勢する付勢部材と、
を備え、
前記第二可動体が前記第一可動体の前記第一装飾を隠蔽する状態で前記第二可動体を前記第一可動体の前方に位置させ、前記第二装飾を視認可能とする第一状態と、
前記係合手段を前記係合状態に切り替えた状態で前記駆動源によって前記第二可動体を駆動し、前記第一状態から前記第一可動体及び前記第二可動体を一体的に往動させる第二状態と、
前記第二状態の後に前記係合手段を前記係合解除状態に切り替え、前記付勢部材の付勢力により前記第一可動体を復動させ、前記第二可動体の背後から前記第一可動体を出現させて前記第一装飾を視認可能とする第三状態との間で状態遷移が可能であり、
前記第二状態から前記第三状態に遷移する際の前記第一可動体の復動速度が前記第一状態から前記第二状態に遷移する際の前記第一可動体及び前記第二可動体の往動速度に比して速い遊技機の可動演出装置、
の発明も含まれる。
【符号の説明】
【０１００】
１：遊技機，１００：センター役物，１１０：基台，１１１：基台装飾，１２０：第一可動体，１２４：第一装飾，１３０：第二可動体，１３４：第二装飾，１４０：駆動機構，１４１：モータ，１５０：係合機構，１６０：トーションバネ
【図１】
0005464170.tif 000002
【図２】
0005464170.tif 000003
【図３】
0005464170.tif 000004
【図４】
0005464170.tif 000005
【図５】
0005464170.tif 000006
【図６】
0005464170.tif 000007
【図７】
0005464170.tif 000008
【図８】
0005464170.tif 000009
【図９】
0005464170.tif 000010
【図１０】
0005464170.tif 000011
【図１１】
0005464170.tif 000012
【図１２】
0005464170.tif 000013
【図１３】
0005464170.tif 000014
【図１４】
0005464170.tif 000015